(57)【特許請求の範囲】
【請求項１】
表面のほぼ全域が面ファスナから構成される胛被と、この胛被とは別体に構成されるテープ材を備え、テープ材の裏面の両側端部だけに、前記胛被の面ファスナと対をなす面ファスナが取り付けられており、前記テープ材は、中央で角度自在に固定された複合テープ材を含むことを特徴とする履物。
【請求項２】
前記複合テープ材は、中央で係着自在にされることを特徴とする請求項１に記載の履物。
【発明の詳細な説明】
【０００１】
【発明の属する技術分野】
本発明は、例えば障害者のリハビリ用等に適した履物に関する。
【０００２】
【従来の技術】
従来、例えば障害者のリハビリ等に適した履物として、胛被の履き口の一部に切れ込みを形成し、この切れ込みの左右の胛被を重合可能にするとともに、各重合面に一対の面ファスナを取付けたような履物や、または履き口の一部にテープ材等の一端側を縫着等で固定し、テープ材等の他端側に面ファスナを取付けて胛被の面ファスナに係着させるようにした履物等が知られており、履物を履く際に、履き口面積を大きく確保出来るようにされるとともに、履いた後に簡単な操作で締着出来るようにされている。
【０００３】
【発明が解決しようとする課題】
ところが、例えば手足の不自由な人や、高齢者等にとっては履き口の切れ込みを広げながら履いたり、テープ材等を足裏に巻き込まないように履いたりするのが困難な場合があり、また、テープ材等で締着するタイプの履物の場合、テープ材等の少なくとも一端側が胛被に固定されているため、個人差のある足に対して最適な個所で締着するのが困難な場合があり、また固定部が損傷しやすいという問題もあった。
更にテープ材等の色柄や種類等が変更出来ないため、ファッション性に欠け、また各種機能も制限されやすいという問題があった。
【０００４】
そこで本発明は、履物を履く動作が一層簡単で、また個人差のある足でもフィッティング性良く締着出来るようにし、しかもファッション性や各種機能性の向上が図れるようにすることを目的とする。
【０００５】
【課題を解決するための手段】
上記目的を達成するため本発明は、表面のほぼ全域が面ファスナから構成される胛被と、この胛被とは別体に構成されるテープ材を備え、テープ材の裏面の両側端部だけに、前記胛被の面ファスナと対をなす面ファスナを取り付けるとともに、前記テープ材として、中央で角度自在に固定される複合テープ材が含まれるようにした。この際、複合テープ材を、中央で係着自在にすれば好適である。 
【０００６】
このように胛被表面のほぼ全域を面ファスナで構成し、また、胛被と別体のテープ材の両側端部の裏面に対となる面ファスナを取付けるようにすれば、例えば履物を履くときにテープ材を取外しておくことにより、履き口が大きく開放されて楽に履くことが出来、また、履いた後にテープ材の両端部を胛被の任意の箇所に係着させることが出来るようになる。このため、例えば甲部に限られず、踵部や足首等、その人の足に合った最適な個所を適切な強さで締め付け固定することが出来る。
【０００７】
そして、テープ材と胛被の固定部がないため、固定部の損傷等が生じる恐れがなく、また、テープ材の色柄や素材等も変更可能なため、ファッション性の向上が図られる。
更に、テープ材の幅や厚みや材質等を自由に変更出来ることから、例えば、比較的幅広にして表布を起毛材等の保温材料にすることで、保温性を向上させたり、表布を反射材、蓄光材等にすることで、夜間の安全性向上を図ったり、伸縮材にして足首に巻き付けたりすることで、足首のサポート機能の向上を図ったりするようなことが可能である。
【０００８】
ここで、胛被表面の面ファスナは、履き口附近のバイヤス材部分や、織ネーム部分や尾錠飾り部分等を除いてほぼ全域に設けるようにし、面ファスナとしては、例えばメスタイプとして、パイル地やループ地やその他のものが適用出来、オスタイプとして、キノコ型やＪフック型やその他のものが適用出来るが、一般的に胛被側の面ファスナをメスタイプにする方が肌触り性や風合いを良好に出来る場合が多いと思われる。勿論、オスメス混合タイプにすることも可能である。
【０００９】
また、テープ材の両端部裏面の面ファスナは、胛被の面ファスナと対をなす面ファスナ、例えば胛被の面ファスナがオスタイプの場合はメスタイプとし、胛被の面ファスナがメスタイプの場合はオスタイプとするが、この際、両端部の裏面だけに局所的に取付けることにより、例えばテープ材の中間部が靴下に係着したり、足に不快な接触感を与えたりするような不具合を防止出来る。
尚、このような履物としては、靴やサンダル等に適用可能である。
【００１０】
【発明の実施の形態】
本発明の実施の形態について添付した図面に基づき説明する。
ここで図１は本履物の一実施例を示す説明図、図２はテープ材の説明図、図３はテープ材を組合せる場合の別実施例図である。
【００１１】
本発明に係る履物は、例えば障害者等でも楽に履くことが出来、またフィッティング性を良好に出来るような履物として構成され、場合によってはファッション性を向上させたり、安全機能や保温機能等の各種機能を容易に向上させることが出来るようにされている。
【００１２】
すなわち、本履物１の一実施例は、図１、図２に示すように表面のほぼ全域が面ファスナから構成される胛被２と、この胛被２とは別体に構成されるテープ材３、４を備えており、このテープ材３、４の両側端部の裏面には、胛被２の面ファスナと対をなす面ファスナ５が局所的に取付けられている。
【００１３】
このため、テープ材３、４の面ファスナ５は胛被２の面ファスナに対して任意の箇所に係着可能とされており、履物１を履く際に、例えばテープ材３、４を取外しておくことにより、履き口Ｈが大きく開放されて履き易く、またその後も、その人の足の状態等に合わせて、テープ材３、４を適切な位置で、且つ適切な締め付け力で締め付けることが出来る。
【００１４】
このような履物１の製造方法の実施例について説明する。
株式会社クラレ製の商品名ベルクロＢ１０００（メス）の面ファスナを表布とし、ナイロン編布を裏布として、常法のウレタンラミネート方式で貼り合わせて胛被材とし、所定の形状に裁断するとともに、履き口Ｈにバイヤス材を縫着し、更に接足面部に中底材を縫着または貼着して胛被２を作製した。
【００１５】
一方、胛被材と同材の面ファスナをテープ形状に裁断し、その両端部の裏面側に、胛被材と対となる商品名ベルクロＡ０３８０（オス）の面ファスナ５を局所的に縫着してテープ材３を作製し、また、このテープ材３と同様のテープ４ａ、４ｂを二本用意し、中央をカシメ式ボタンｂで角度調整可能に留め付けて複合テープ材４を作製した。
【００１６】
そして、胛被２を履物成形用金型のラストモールドに吊り込み、あらかじめ成形済みの履物底６を圧着接着してリハビリ用シューズを完成させた。
因みに、本実施例における複合テープ４としては、図３に示すように、一方側のテープ４ａの中央裏面側に面ファスナ５を取付け、二本のテープ４ａ、４ｂを係着自在にすることも可能である。
【００１７】
こうして作製した履物１は、テープ材３、４を取外しておけば、履き口Ｈが広くて履き易く、またテープ材３、４をその人の足に合わせて任意の箇所に係着させて、任意の力で簡単に締め付けることが出来るため、障害者等に好適であることが確認された。
【００１８】
尚、以上のようなテープ材３、４は、その色柄や形状や材質等を変更することにより、ファッション性を高めることが可能であり、例えばテープ材３、４は２本に限定せず、３本のテープ材を角度自在に固定させたトリプルクロステープとすれば、よりファッション性が向上する。
【００１９】
また、ファッション性のみならず各種機能性を高めた履物にすることも可能であり、例えばテープ幅を１００〜２００ｍｍ等の幅広にし、また表布を起毛材等の保温性材料にすることで保温機能を高めるようにしたり、表布を反射材、蓄光材にすることで夜間の安全機能を高めたり、伸縮材にして足に巻き付けることが出来るようにすることで足首の保護機能を高めたりするようなことが可能である。
【００２０】
また、テープ材３、４が胛被２に固定されていないため、従来のような固定部の損傷等はなく、また、テープ材３、４の中間部の裏面には面ファスナがないため、テープ材３、４が靴下に係着したり、足に不愉快な接触感を与えたりするような不具合がない。
【００２１】
ところで、以上の実施例では、胛被２の表面側をメスの面ファスナとし、テープ材３、４の両側端部裏面側をオスの面ファスナ５とした例を示したが、これを反対にしても良く、また、オスメス混合タイプのものを使用しても良い。
【００２２】
尚、本発明は以上のような実施形態に限定されるものではない。本発明の特許請求の範囲に記載した事項と実質的に同一の構成を有し、同一の作用効果を奏するものは本発明の技術的範囲に属する。
例えば履物１はシューズに限らずサンダル等でも良く、また履物１の具体的形態等も任意である。
更に本実施例における履物の製造方法は一例であり、履物底６も通常使用されている多種多用な履物底が用いられる。
【００２３】
【発明の効果】
以上のように本発明に係る履物は、表面のほぼ全域が面ファスナから構成される胛被と、この胛被とは別体に構成されるテープ材を設け、このテープ材の裏面の両側端部だけに、胛被の面ファスナと対をなす面ファスナを取り付けるとともに、テープ材として、中央で角度自在に固定される複合テープ材を含ませるようにしたため、履物を履くときにテープ材を取外しておけば楽に履くことが出来、また、その後のフィッティング操作を容易に行うことができる。
またファッション性や各種機能性の向上を図るのが容易である。
【図面の簡単な説明】
【図１】本履物の一実施例を示す説明図
【図２】テープ材の説明図
【図３】テープ材を組合せる場合の別実施例図
【符号の説明】
１…履物、２…胛被、３、４…テープ材、５…面ファスナ、Ｈ…履き口。
【図１】
0004721242.tif 000002
【図２】
0004721242.tif 000003
【図３】
0004721242.tif 000004